【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
着信時に着信音を鳴らさずに、振動などで着信を報知するマナーモード機能を備える携帯電話であって、
時刻表情報を記憶する時刻表情報記憶部と、
改札口に設置されているＩＣカードリーダ／ライタより、入場時刻と、入場した場所の場所情報と、を取得するＩＣカード通信部と、
記憶している前記時刻表情報と、取得した前記入場時刻と前記場所情報と、に基づいて、マナーモードオンに切り換える時刻とマナーモードオフに切り換える時刻とを設定する処理部と、
設定された前記マナーモードオンに切り換える時刻になった場合に携帯電話をマナーモードオンに切り換え、設定された前記マナーモードオフに切り換える時刻になった場合に携帯電話をマナーモードオフに切り換える設定部と、
を備える携帯電話。
【請求項２】
請求項１記載の携帯電話であって、
前記時刻表情報は、開始時刻と終了時刻とにより構成される携帯電話。
【請求項３】
請求項１又は請求項２記載の携帯電話であって、
前記処理部の設定した前記マナーモードオンに切り換える時刻と前記マナーモードオフに切り換える時刻と、前記ＩＣカード通信部の取得した前記場所情報と、を対応付けて履歴情報として記憶する学習データ記憶部を備え、
前記処理部は、前記ＩＣカード通信部が取得した前記場所情報が前記学習データ記憶部に前記履歴情報として記憶された前記場所情報である場合に、前記学習データ記憶部に前記履歴情報として対応付けて記憶した前記マナーモードオンに切り換える時刻と前記マナーモードオフに切り換える時刻とを、前記マナーモードオンに切り換える時刻と前記マナーモードオフに切り換える時刻として設定する携帯電話。
【請求項４】
請求項１乃至請求項３のいずれか１項記載の携帯電話であって、
携帯電話をマナーモードオンに切り換えるとき、又は、携帯電話をマナーモードオフに切り換えるときに、バイブレータが振動して切り換えを通知する携帯電話。
【請求項５】
携帯電話の動作状態をオン又はオフに切り換える機能を備える携帯電話であって、
時刻表情報を記憶する時刻表情報記憶部と、
改札口に設置されているＩＣカードリーダ／ライタより、入場時刻と、入場した場所の場所情報と、を取得するＩＣカード通信部と、
記憶している前記時刻表情報と、取得した前記入場時刻と前記場所情報と、に基づいて、動作状態をオンに切り換える時刻と動作状態をオフに切り換える時刻とを設定する処理部と、
設定された前記動作状態をオンに切り換える時刻になった場合に携帯電話の動作状態をオンに切り換え、設定された前記動作状態をオフに切り換える時刻になった場合に携帯電話の動作状態をオフに切り換える設定部と、
を備える携帯電話。 
【手続補正２】
【補正対象書類名】明細書
【補正対象項目名】発明の名称
【補正方法】変更
【補正の内容】
【発明の名称】携帯電話
【手続補正３】
【補正対象書類名】明細書
【補正対象項目名】０００１
【補正方法】変更
【補正の内容】
【０００１】
本発明は、携帯電話の機能制限の改良に関するものである。
【手続補正４】
【補正対象書類名】明細書
【補正対象項目名】０００７
【補正方法】変更
【補正の内容】
【０００７】
本発明は、上記事情に鑑みてなされたもので、マナーモード利用者によるマナーモードのオン・オフ設定のための入力操作を軽減しつつ、適切な時刻にマナーモードのオン・オフを切り替えることができる携帯電話を提供することを目的とする。
【手続補正５】
【補正対象書類名】明細書
【補正対象項目名】０００８
【補正方法】変更
【補正の内容】
【０００８】
本発明の携帯電話は、着信時に着信音を鳴らさずに、振動などで着信を報知するマナーモード機能を備える携帯電話であって、時刻表情報を記憶する時刻表情報記憶部と、改札口に設置されているＩＣカードリーダ／ライタより、入場時刻と、入場した場所の場所情報と、を取得するＩＣカード通信部と、記憶している前記時刻表情報と、取得した前記入場時刻と前記場所情報と、に基づいて、マナーモードオンに切り換える時刻とマナーモードオフに切り換える時刻とを設定する処理部と、設定された前記マナーモードオンに切り換える時刻になった場合に携帯電話をマナーモードオンに切り換え、設定された前記マナーモードオフに切り換える時刻になった場合に携帯電話をマナーモードオフに切り換える設定部と、を備えるものである。
【手続補正６】
【補正対象書類名】明細書
【補正対象項目名】００１０
【補正方法】変更
【補正の内容】
【００１０】
また、本発明の携帯電話は、前記時刻表情報が、開始時刻と終了時刻とにより構成されるものを含む。
【手続補正７】
【補正対象書類名】明細書
【補正対象項目名】００１２
【補正方法】変更
【補正の内容】
【００１２】
さらに、本発明の携帯電話は、前記処理部の設定した前記マナーモードオンに切り換える時刻と前記マナーモードオフに切り換える時刻と、前記ＩＣカード通信部の取得した前記場所情報と、を対応付けて履歴情報として記憶する学習データ記憶部を備え、前記処理部は、前記ＩＣカード通信部が取得した前記場所情報が前記学習データ記憶部に前記履歴情報として記憶された前記場所情報である場合に、前記学習データ記憶部に前記履歴情報として対応付けて記憶した前記マナーモードオンに切り換える時刻と前記マナーモードオフに切り換える時刻とを、前記マナーモードオンに切り換える時刻と前記マナーモードオフに切り換える時刻として設定するものを含む。
【手続補正８】
【補正対象書類名】明細書
【補正対象項目名】００１３
【補正方法】変更
【補正の内容】
【００１３】
この構成により、電車の乗車のような一定時間帯に開始時間と終了時間の選択肢が多い場合でも、正確に開始時間と終了時間を特定することができ、マナーモード利用者によるマナーモードのオン・オフ設定のための入力操作を軽減しつつ、適切な時刻にマナーモードのオン・オフを切り替えることができる。
また、本発明の携帯電話は、携帯電話をマナーモードオンに切り換えるとき、又は、携帯電話をマナーモードオフに切り換えるときに、バイブレータが振動して切り換えを通知するものを含む。
また、本発明の携帯電話は、携帯電話の動作状態をオン又はオフに切り換える機能を備える携帯電話であって、時刻表情報を記憶する時刻表情報記憶部と、改札口に設置されているＩＣカードリーダ／ライタより、入場時刻と、入場した場所の場所情報と、を取得するＩＣカード通信部と、記憶している前記時刻表情報と、取得した前記入場時刻と前記場所情報と、に基づいて、動作状態をオンに切り換える時刻と動作状態をオフに切り換える時刻とを設定する処理部と、設定された前記動作状態をオンに切り換える時刻になった場合に携帯電話の動作状態をオンに切り換え、設定された前記動作状態をオフに切り換える時刻になった場合に携帯電話の動作状態をオフに切り換える設定部と、を備えるものである。
この構成により、携帯電話の動作状態のオン・オフ設定のための入力操作を軽減しつつ、適切な時刻に携帯電話の動作状態のオン・オフを切り替えることができる。
【手続補正９】
【補正対象書類名】明細書
【補正対象項目名】００１４
【補正方法】変更
【補正の内容】
【００１４】
本発明は、マナーモード利用者によるマナーモードのオン・オフ設定のための入力操作を軽減しつつ、適切な時刻にマナーモードのオン・オフを切り替えることができるという効果を有する携帯電話を提供することができるものである。また、携帯電話の動作状態のオン・オフ設定のための入力操作を軽減しつつ、適切な時刻に携帯電話の動作状態のオン・オフを切り替えることができるという効果を有する携帯電話を提供することができるものである。
【手続補正１０】
【補正対象書類名】明細書
【補正対象項目名】００９４
【補正方法】変更
【補正の内容】
【００９４】
以上のように、本発明にかかる携帯電話は、マナーモード利用者によるマナーモードのオン・オフ設定のための入力操作を軽減しつつ、適切な時刻にマナーモードのオン・オフを切り替えることができるという効果を有し、携帯電話の機能制限の改良等として有用である。